(57)【特許請求の範囲】
【請求項１】
キャビネット（１）内の左右に、腹板（１２）と、腹板（１２）の前後端に連設した前後一対の側板（１３・１４）、および前後の側板（１３・１４）から張り出した前後の鍔板（１５・１６）とを有する断面ハット形の前後一対の棚柱（７・８）が配置されており、
前後の棚柱（７・８）の相対向する側板（１４・１３）間に、金属線を折り曲げてなるトレイ受け具（９）が掛け渡されており、
トレイ受け具（９）は、前後方向に長い主杆部（１９）、主杆部（１９）の前後端に直角に折曲連設した前後杆部（２０・２１）とを有するコ字状のトレイ受け部（２２）と、トレイ受け部（２２）の前後端に前後の係脱腕部（２３・２４）を介して連設した前後の回転軸部（２５・２６）とからなり、
前後の係脱腕部（２３・２４）は、前後杆部（２０・２１）の各先端から主杆部（１９）と直交する方向に略直角に折り曲げ形成されており、
前側の回転軸部（２５）は前側の係脱腕部（２３）から前方へ、後側の回転軸部（２６）は後側の係脱腕部（２４）から後方へそれぞれ略直角に折り曲げ形成されており、
前後の回転軸部（２５・２６）はそれぞれ前後の棚柱（７・８）の側板（１４・１３）に設けた軸孔（１７）に回転自在に挿通されており、
棚柱（７・８）の各軸孔（１７）の近傍位置には、トレイ受け具（９）の回転軸部（２５・２６）まわりの回転に伴い係脱腕部（２３・２４）が乗り越えて係脱する突起（２７）が設けられており、
突起（２７）に対し係脱腕部（２３・２４）が係合することでトレイ受け部（２２）が垂直姿勢に保持され、係脱腕部（２３・２４）が離脱することで該係脱腕部（２３・２４）が鍔板（１５・１６）に接当係合するとともに、トレイ受け部（２２）が主杆部（１９）を棚柱（７・８）の腹板（１２・１２）より庫内中央に向けて張り出すよう略水平姿勢に保持されるようにしてあることを特徴とする冷蔵庫等のトレイ受け具の取付け装置。
【請求項２】
係脱腕部（２３・２４）の長さ（Ｌ）は、棚柱（７・８）の軸孔（１７）から腹板（１２）までの間の間隔寸法（Ｃ）以下に設定している請求項１記載の冷蔵庫等のトレイ受け具の取付け装置。  
【発明の詳細な説明】
【０００１】
【発明の属する技術分野】
本発明は、冷蔵庫や冷凍庫等のトレイ受け具の取付け装置に関する。
【０００２】
【従来の技術】
冷凍庫等において、図６に示すごとくキャビネット４０の内部左右にそれぞれ配置した前後の棚柱４１・４２間に、断面Ｌ形材からなるトレイ受け具４３を上下数段に渡し掛け、左右のトレイ受け具４３・４３の上に、冷凍食材などが入れられるトレイ４４を載置するようにした仕様のものがある。
【０００３】
【発明が解決しようとする課題】
しかるに、冷凍食材、例えば段ボール箱４５に入れた冷凍肉はトレイ４４を使用することなく、段ボール箱４５ごと左右の棚柱４１・４１（４２・４２）間に置いて冷凍保存することがある。この場合、トレイ受け具４３は棚柱４１・４２から庫内中央に向けて張り出しているため、左右のトレイ受け具４３・４３間の間隔Ａは左右の棚柱４１・４１（４２・４２）間の間隔Ｂよりも小さく、この左右のトレイ受け具４３・４３間に入る大きさの段ボール箱に制約される。断面Ｌ形材からなるトレイ受け具４３はこの上に塵埃や食材の破片などが溜まりやすいため、衛生管理のために各トレイ受け具４３の上を頻繁に拭き掃除する必要があった。
【０００４】
こうした問題の解決策として、例えば、トレイ受け具を棚柱に対して取り外し可能に設置しておいて、トレイを使用しないで冷凍肉等を段ボール箱に入れたまま保存する場合は、トレイ受け具を棚柱から外してしまうことが考えられる。しかし、そのようにトレイ受け具をいちいち取り外したり、取り付けることは煩わしい。取り外したトレイ受け具は紛失するおそれもある。
【０００５】
本発明の目的は、このような問題を解消するためになされたものであって、トレイを使用しない時には庫内の有効幅を拡大化でき、しかも使い勝手の良い冷蔵庫等のトレイ受け具の取付け装置を提供することにある。本発明の他の目的はトレイ受け具の清掃回数の減少を図れる冷蔵庫等のトレイ受け具の取付け装置を提供することにある。
【０００６】
【課題を解決するための手段】
本発明の冷蔵庫等のトレイ受け具の取付け装置は、図１および図５に示すごとくキャビネット１内の左右に、前後一対の棚柱７・８を配置し、前後の棚柱７・８間に、トレイ受け具９を棚柱７・８から庫内中央に向けて張り出す使用姿勢と、前後の棚柱７・８間のデッドスペース内に格納される不使用姿勢とにわたって姿勢切り換え自在に取り付けたものである。更に具体的には、キャビネット１内の左右に、腹板１２と、腹板１２の前後端に連設した前後一対の側板１３・１４、および前後の側板１３・１４から張り出した前後の鍔板１５・１６とを有する断面ハット形の前後一対の棚柱７・８が配置され、前後の棚柱７・８の相対向する側板１４・１３間に、金属線を折り曲げてなるトレイ受け具９が掛け渡されている。トレイ受け具９は、前後方向に長い主杆部１９と、主杆部１９の前後端に直角に連設した前後杆部２０・２１とを有するコ字状のトレイ受け部２２と、トレイ受け部２２の前後端に前後の係脱腕部２３・２４を介して連設した前後の回転軸部２５・２６とからなる。前後の係脱腕部２３・２４は前後杆部２０・２１の各先端から主杆部１９と直交する方向に略直角に折り曲げ形成されている。前側の回転軸部２５は前側の係脱腕部２３から前方へ、後側の回転軸部２６は後側の係脱腕部２４から後方へそれぞれ略直角に折り曲げ形成されている。前後の回転軸部２５・２６はそれぞれ前後の棚柱７・８の側板１４・１３に設けた軸孔１７に回転自在に挿通されている。棚柱７・８の各軸孔１７の近傍位置には、トレイ受け具９の回転軸部２５・２６まわりの回転に伴い係脱腕部２３・２４が乗り越えて係脱する突起２７が設けられている。突起２７に対し係脱腕部２３・２４が係合することでトレイ受け部２２が垂直姿勢に保持され、係脱腕部２３・２４が離脱することで該係脱腕部２３・２４が鍔板１５・１６に接当係合するとともに、トレイ受け部２２が主杆部１９を棚柱７・８の各腹板１２より庫内中央に向けて張り出すよう略水平姿勢に保持される。
上記係脱腕部２３・２４の長さＬは、棚柱７・８の各軸孔１７から腹板１２までの間の間隔寸法Ｃ以下に設定する。
【０００７】
【作用】
トレイ受け具９は、トレイ受け部２２が前後の棚柱７・８から庫内中央に向けて張り出す使用姿勢と、前後の棚柱７・８間のデッドスペース内に格納される不使用姿勢とにわたって切り換えられる。この切り換え操作は係脱腕部２３・２４が突起２７・２７を乗り越えて係脱するようにトレイ受け具９を前後の回転軸部２５・２６まわりに回転させるだけの簡単な操作で行える。
不使用姿勢では、前後の棚柱７・８間のデッドスペース内に納められるので、例えば、食材を段ボール箱に詰めたまま冷凍保存する場合、トレイ受け具９に邪魔されることなく、左右の棚柱７・８間の間隔をフルに利用して容易に出し入れすることができる。その際、係脱腕部２３・２４の長さＬを、棚柱７・８の各軸孔１７から腹板１２までの間の間隔寸法Ｃ以下に設定しておくと、左右の棚柱７・７および８・８間の内寸一杯の大きさの物を入れることができる。
【０００８】
【発明の実施の形態】
図１は前扉を開いた状態で正面から見た斜視図、図２は横断平面図、図３は縦断側面図、図４（ａ）はトレイ受け具の使用姿勢の正面図、図４（ｂ）はトレイ受け具の不使用姿勢の正面図、図５はトレイ受け具の取り付け態様を示す斜視図である。
【０００９】
図１において、１は冷凍庫や冷蔵庫等のキャビネットである。この正面間口には前扉２が装備されている。図２および図３に示すごとくキャビネット１内の奥行き方向の最奥部には冷却システムの蒸発器３、ファン４を備えている。キャビネット１の背面側には冷却システムの凝縮器５および圧縮機（図示せず）などを備えている。
【００１０】
図１ないし図３に示すごとくキャビネット１の内部の蒸発器３より前方には、前後一対の棚柱７・８を左右に配置している。左側の前後の棚柱７・８どうしの間、および右側の前後の棚柱７・８どうしの間にはそれぞれトレイ受け具９を上下多数段に掛け渡している。棚柱７・８の上下方向中間部には網棚１０を受ける断面Ｌ形の受け具１１を架設している。棚柱７・８の最下端部にも網棚１０を配設している。
【００１１】
図５に示すように、棚柱７・８は、断面ハット形に形成されて腹板１２と、腹板１２の前後端に連設した前後の側板１３・１４、および前後の側板１３・１４から外向きに張り出した鍔板１５・１６とを有している。棚柱７・８の各鍔板１５・１６はキャビネット１の内壁１ａに重合固定している。前側の棚柱７の後側の側板１４と、これに対向する後側の棚柱８の前側の側板１３には、トレイ受け具９を支持するための軸孔１７を上下方向に所定間隔で列設している。
【００１２】
トレイ受け具９は、鋼線など金属線を折り曲げてなり、前後方向に長い主杆部１９と、主杆部１９の前後端に直角に折曲連設した前後杆部２０・２１とを有するコ字状のトレイ受け部２２と、トレイ受け部２２の前後端に前後の係脱腕部２３・２４を介して折曲連設した前後の回転軸部２５・２６とからなる。前側の係脱腕部２３は前杆部２０の先端から、後側の係脱腕部２４は後杆部２１の先端からそれぞれ主杆部１９と直交する方向に略直角に折り曲げ形成されている。前側の回転軸部２５は前側の係脱腕部２３から前方へ、後側の回転軸部２６は後側の係脱腕部２４から後方へそれぞれ略直角に折り曲げ形成されている。
【００１３】
図５に示すごとくトレイ受け具９の外寸Ｅは前後の棚柱７・８間の内寸Ｆと略等しく設定したうえで、トレイ受け具９の金属線の曲げ弾性を利用することによって回転軸部２５・２６を前後の棚柱７・８の側板１４・１３に設けた軸孔１７・１７に回転自在に挿通する。これでトレイ受け具９はトレイ受け部２２が前後の棚柱７・８から略水平に張り出す使用姿勢（図４（ａ））と、前後の棚柱７・８間のデッドスペース内に格納する不使用姿勢（図４（ｂ））とにわたって回転軸部２５・２６まわりに切り換え操作自在である。
【００１４】
このトレイ受け具９は、図４（ａ）に示すごとく使用姿勢では前側の係脱腕部２３が前側の棚柱７の後側の鍔板１６に、後側の係脱腕部２４が後側の棚柱８の前側の鍔板１５にそれぞれ接当係合することで、トレイ受け部２２が前後の棚柱７・８の各腹板１２より庫内中央に向けて張り出す略水平姿勢に保持される。かかるトレイ受け具９の使用姿勢下で、その上に食材などの入ったトレイが載せられて荷重がかけられると、係脱腕部２３・２４の鍔板１６・１５への接当係合作用によってこれに充分対抗できる。
【００１５】
また、トレイ受け具９は、図４（ｂ）に示すごとく不使用姿勢では前側の係脱腕部２３が前側の棚柱７の後側の側板１３の軸孔１７より腹板１２寄り位置に膨出状に設けた突起２７に、後側の係脱腕部２４が後側の棚柱８の前側の側板１４の軸孔１７より腹板１２寄り位置に同じように設けた突起２７にそれぞれ係合する。この係合によりトレイ受け部２２が前後の棚柱７・８の側板１３・１４間のデッドスペース内に納まるように垂直な起立姿勢に保持される。その際、トレイ受け部２２が棚柱７・８の腹板１２・１２より庫内中央に向けて僅かにはみ出てもよいが、望ましくは全くはみ出ることのないように係脱腕部２３・２４の各々の長さＬは、軸孔１７から腹板１２までの間隔寸法Ｃ以下に設定することが好ましい。
【００１６】
トレイ受け具９は姿勢切り換えにあたって回転軸部２５・２６まわりに回転させるに伴い、係脱腕部２３・２４が金属線の曲げ弾性力を介して突起２７・２７を乗り越えて該突起２７・２７に対しスムーズに離脱し、かつ確実に係合することもできるように適度の突出高さを持つ半球形状などに形成してある。
【００１７】
いま、トレイを使用することなく、例えば冷凍肉等食材を段ボール箱に詰めたまま冷凍保存する場合は、トレイ受け具９を図４（ａ）に示す使用姿勢から回転軸部２５・２６まわりに略９０°上方へ回転させる。すると、係脱腕部２３・２４は突起２７・２７を乗り越えて該突起２７・２７に係合し、これによりトレイ受け部２２が棚柱７・８の側板１４・１３間のデッドスペース内に起立状態に格納する不使用姿勢に保持される。かかるトレイ受け具９の不使用姿勢への切り換えは、トレイ無しで保存しようとする物の高さに対応する高さ空間が得られるように上下数段のトレイ受け具９群のうち任意のものを選択して行う。例えば、図１では中間の網棚１０より上側のトレイ受け具９は使用姿勢のままにしており、その網棚１０より下側のトレイ受け具９は不使用姿勢に格納している。
【００１８】
【発明の効果】
本発明によれば、トレイを使用しない時にはトレイ受け具９を前後の棚柱７・８間のデッドスペース内に格納できるようにしてあるので、この庫内に段ボールごと食材等を保存する場合、左右の棚柱７・７（８・８）間の間隔一杯をその収納スペースに使用することができ、つまり庫内有効幅を広く利用することができる。しかも、トレイ受け具９はワンタッチで簡単に使用姿勢と不使用姿勢に切り換え操作することができて取り扱い易い。またトレイ受け具９は金属線で構成することでこの上に塵埃などが溜まりにくくなるため、清掃回数を減少できる。
【図面の簡単な説明】
【図１】前扉を開いた状態で正面からみた斜視図である。
【図２】横断平面図である。
【図３】縦断側面図である。
【図４】（ａ）はトレイ受け具の使用姿勢の正面図、（ｂ）はトレイ受け具の不使用姿勢の正面図である。
【図５】トレイ受け具の取り付け態様を示す斜視図である。
【図６】従来例の冷凍庫を前扉を開いた状態で示す正面図である。
【符号の説明】
１  キャビネット
７・８  前後の棚柱
９  トレイ受け具
１２  腹板
１３・１４  前後の側板
１５・１６  前後の鍔板
１７  軸孔
１９  主杆部
２０・２１  前後杆部
２２  トレイ受け部
２３・２４  前後の係脱腕部
２５・２６  前後の回転軸部
２７  突起
【図１】
0004104206.tif 000002
【図２】
0004104206.tif 000003
【図３】
0004104206.tif 000004
【図４】
0004104206.tif 000005
【図５】
0004104206.tif 000006
【図６】
0004104206.tif 000007